(57)【要約】【課題】画像歪みを抑えた画像読取装置を提供する。【解決手段】画像読取手段１の上面にはヒンジ挿入穴１３及び１４が適宜所定間隔をもって穿設される。原稿搬送手段５０に取付けられた回動ヒンジが前記ヒンジ挿入穴１３及び１４に挿入されて、前記原稿搬送手段５０が前記画像読取手段１に対して開閉自在に取り付けられる。前記画像読取手段１の上面に穿設された溝部１１と前記ヒンジ挿入穴１３とを結ぶ線は、前記画像読取手段１の主走査方向と平行になるように配置されている。前記原稿搬送手段５０を前記画像読取手段１上に閉じた場合に、前記位置決めピン１０が前記溝部１１に嵌合し、前記画像読取手段１の主走査方向と前記原稿搬送手段５０の原稿の搬送方向である副走査方向とが直交するように位置決めされる。【選択図】図２ 
2005101942.tif 000002
【特許請求の範囲】
【請求項１】
原稿読取部、前記原稿読取部上の原稿を照明する光学ユニット及び、前記原稿読取部上の原稿からの反射光を受光して原稿の画像データを読取り電気信号を出力する光電変換部、を有する画像読取手段と、
前記画像読取手段の上方に配置され、一枚若しくは複数枚の原稿より一枚ずつ前記画像読取手段の前記原稿読取部上に搬送する原稿搬送手段と、を備え
前記光電変換部が原稿の画像データを主走査方向にラインデータとして読取るとともに、前記主走査方向の画像データのラインデータを副走査方向に順次読取って原稿の画像読取を行う画像読取装置において、
前記原稿読取部上における原稿搬送方向と前記光電変換部の主走査方向とが直交するように位置決めを行う位置決め手段を備えたことを特徴とする画像読取装置。
【請求項２】
前記位置決め手段が、突部と、前記突部に嵌合する溝部と、を有したことを特徴とする請求項１に記載の画像読取装置。
【請求項３】
前記光学ユニットを前記原稿読取部に対向する所定の位置に固定して、前記原稿搬送手段によって前記原稿読取部上を移動させられる原稿の画像データを前記光電変換部が読取って原稿の画像読取を行う画像形成装置において、
前記位置決め手段が前記原稿搬送手段から突設される突部と、
前記画像読取手段に形成される貫通孔と、を有し、
前記貫通孔を貫通した前記突部が前記光学ユニットに当接して、前記原稿読取部上における原稿搬送方向と前記光電変換部の主走査方向とが直交するように位置決めを行うことを特徴とする請求項１に記載の画像読取装置。
【請求項４】
前記突部が前記光学ユニットと係合する係合部を有し、前記貫通孔を貫通した前記突部が前記光学ユニットに係合して、前記原稿読取部上における原稿搬送方向と前記光電変換手段の主走査方向とが直交するように位置決めを行うとともに、前記原稿搬送手段を前記原稿読取手段に係止することを特徴とする請求項３に記載の画像読取装置。
【請求項５】
前記突部が上下方向に移動可能であることを特徴とする請求項２乃至４のいずれかに記載の画像読取装置。
【請求項６】
前記位置決め手段が前記突部を上下方向に移動させる駆動手段を有し、前記原稿搬送手段が前記原稿読取部上に原稿を搬送して原稿の画像読取を行う場合に、前記駆動手段を駆動して、前記位置決め手段が位置決めを行うことを特徴とする請求項５に記載の画像読取装置。
【請求項７】
前記位置決め手段が前記突部の上下方向の位置を検出して前記位置決め手段による位置決めを完了したか否かを判断する位置検出手段を有することを特徴とする請求項５又は６に記載の画像読取装置。
【請求項８】
前記原稿搬送手段が前記画像読取手段に対して開閉自在に取付けられることを特徴とする請求項１乃至７のいずれかに記載の画像読取装置。
【発明の詳細な説明】
【技術分野】
【０００１】
本発明は、ＡＤＦ等の原稿搬送手段である自動原稿送り装置と組み合わせて使用する画像読取装置に関するものである。
【背景技術】
【０００２】
図７は、従来の画像読取装置の概略断面図である。この種の画像読取装置は原稿の画像を読取る画像読取手段１の上部に、前記画像読取手段１に複数枚の原稿を一枚ずつ搬送する原稿搬送手段５０が開閉自在に取り付けられている。
【０００３】
前記画像読取手段１は、上面に原稿を載置するガラス等を用いた透明な原稿台１ａ、前記原稿台１ａ上に載置された原稿を照射する光源２、前記光源２により照明された原稿からの反射光を所定の方向に導光する第１ミラー３及び第２ミラー台４、前記第２ミラー台４により反転された光を受光してその強度に応じた電気信号に変換する素子を複数連続配列した光電変換素子（ＣＣＤ）６、前記光電変換素子（ＣＣＤ）６により読込まれた画像データが転送されるコントローラユニット７、を備えている。
【０００４】
また、同図において、原稿搬送手段５０は、原稿を積載する原稿載置トレイ５０ａ、前記原稿載置トレイ５０ａに積載された原稿を一枚ずつ分離する分離搬送部５２、前記分離搬送部５２により分離搬送された原稿を搬送する搬送ローラ対５３、前記画像読取手段１に原稿を流し読みさせる原稿読取部Ｒ、を備えている。
【０００５】
図８は、前記原稿搬送手段５０が前記画像読取手段１の原稿台１ａ上に対して開閉される状態を示した動作図である。
【０００６】
このような画像読取装置は、原稿載置トレイ５０ａに積載された複数の原稿Ｓが分離搬送部５２によって１枚ずつに分離された後、搬送ローラ対５３によって原稿読取部Ｒに搬送される。そして、前記原稿読取部Ｒ上に搬送される原稿の画像読込みは、原稿の搬送方向と直交する前記ＣＣＤ６の配列方向を主走査方向として、前記ＣＣＤ６により前記主走査方向に原稿の画像データをラインデータとして読込むとともに、原稿の搬送方向である副走査方向に原稿を一定速度で搬送させながら前記原稿読取部Ｒにおいて前記副走査方向に原稿の画像データを順次読取りながら原稿の画像読取りを行う流し読みにより行われる。そして、読取られた画像データは、順次コントローラユニット７へ転送され、前記画像データに基づいて、図示しない画像形成装置等で画像が形成される。
【０００７】
【特許文献１】特開２００１-３５４３３９号公報
【発明の開示】
【発明が解決しようとする課題】
【０００８】
しかしながら、前記従来の画像読取装置は、図８に示すように前記原稿搬送手段５０が前記画像読取手段１に対して開閉動作を行うと、原稿搬送手段５０と画像読取手段１との直交性がずれた状態、即ち、画像読取手段１のラインデータ読込み方向である主走査方向と、前記原稿搬送手段５０の原稿読取部Ｒにおける原稿搬送方向との直交性がずれた状態で前記原稿搬送手段５０が前記画像読取手段１上に搭載される場合があり、この状態で原稿の読込みを行った場合は、画像が歪むという問題が生じる。
【０００９】
図９は、このような従来の画像読取装置の問題点を説明する図である。図９（ａ）は、前記原稿搬送手段５０と前記画像読取手段１との直交性がずれた状態を示す図である。Ａ
-Ａ線は画像読取手段の主走査方向であり、Ｂ-Ｂ線は前記原稿読取部Ｒでの原稿搬送手段５０による原稿の搬送方向に直交する方向である。
【００１０】
図９（ｂ）は図９（ａ）に示す前記原稿搬送手段５０と前記画像読取手段１との直交性がずれた画像読取装置により読込まれる原稿の画像を示す図である。図９（ｃ）は、図９（ａ）に示す画像読取装置で読込まれた図９（ｂ）に示す原稿の画像データに基づき画像を形成した原稿の画像であり、画像が歪んだ状態を示した図である。
【００１１】
本発明は、上記した従来の画像読取装置の問題点を解決し、原稿搬送手段と画像読取手段との相対位置精度を向上させて、画像歪みを抑えた画像読取装置を提供するものである。
【課題を解決するための手段】
【００１２】
上記目的を達成するために本発明にあっては、原稿読取部、前記原稿読取部上の原稿を照明する光学ユニット、及び前記原稿読取部上の原稿からの反射光を受光して原稿の画像データを読取り電気信号を出力する光電変換部、を有する画像読取手段と、前記画像読取手段の上方に配置され、一枚若しくは複数枚の原稿より一枚ずつ前記画像読取手段の前記原稿読取部上に搬送する原稿搬送手段と、を備え、前記光電変換部が原稿の画像データを主走査方向にラインデータとして読取るとともに、前記主走査方向の画像データのラインデータを副走査方向に順次読取って原稿の画像読取を行う画像読取装置において、前記原稿読取部上における原稿搬送方向と前記光電変換部の主走査方向とが直交するように位置決めを行う位置決め手段を備えたことを特徴とする。
【００１３】
ここで、前記位置決め手段は、前記原稿搬送手段が前記画像読取手段に対して所定位置に位置決できるものであればよく、凸状部と凹状部とを嵌め合わせるものや、磁石等により所定位置に吸着させるものを含む。また、前記凸状部及び凹状部の嵌め合わせとしたものでは、その形状は特に限定されるものではなく、例えば、矩形状、円筒形状、台形状の凸状部とそれに嵌合する凹状部を前記原稿搬送手段及び前記画像読取手段の対向面間に設けたものを含む。
【００１４】
本発明の好ましい態様によれば、前記位置決め手段が、突部と、前記突部に嵌合する溝部と、を有したことを特徴とする。
【００１５】
本発明の好ましい態様によれば、前記光学ユニットを前記原稿読取部に対向する所定の位置に固定して、前記原稿搬送手段によって前記原稿読取部上を移動させられる原稿の画像データを前記光電変換部が読取って原稿の画像読取を行う画像形成装置において、前記位置決め手段が前記原稿搬送手段から突設される突部と、前記画像読取手段に形成される貫通孔と、を有し、前記貫通孔を貫通した前記突部が前記光学ユニットに当接して、前記原稿読取部上における原稿搬送方向と前記光電変換部の主走査方向とが直交するように位置決めを行うことを特徴とする。
【００１６】
本発明の好ましい態様によれば、前記突部が前記光学ユニットと係合する係合部を有し、前記貫通孔を貫通した前記突部が前記光学ユニットに係合して、前記原稿読取部上における原稿搬送方向と前記光電変換手段の主走査方向とが直交するように位置決めを行うとともに、前記原稿搬送手段を前記原稿読取手段に係止することを特徴とする。
【００１７】
本発明の好ましい態様によれば、前記突部が上下方向に移動可能であることを特徴とする。
【００１８】
本発明の好ましい態様によれば、前記位置決め手段が前記突部を上下方向に移動させる
駆動手段を有し、前記原稿搬送手段が前記原稿読取部上に原稿を搬送して原稿の画像読取を行う場合に、前記駆動手段を駆動して、前記位置決め手段が位置決めを行うことを特徴とする。
【００１９】
本発明の好ましい態様によれば、前記位置決め手段が前記突部の上下方向の位置を検出して前記位置決め手段による位置決めを完了したか否かを判断する位置検出手段を有することを特徴とする。
【００２０】
本発明の好ましい態様によれば、前記原稿搬送手段が前記画像読取手段に対して開閉自在に取付けられることを特徴とする。
【発明の効果】
【００２１】
以上説明したように、本発明の画像読取装置によれば、画像読取手段のラインデータ読込み方向である主走査方向と、前記原稿搬送手段の原稿の搬送方向である副走査方向とが前記位置決め手段により直交するように位置決めされるので、画像歪みを抑えることが可能となる。
【発明を実施するための最良の形態】
【００２２】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２３】
〔第１の実施の形態〕
図１は本発明の第１の実施の形態に係る画像読取装置の概略構成を示す断面図である。
【００２４】
本実施の形態に係る画像読取装置は、原稿の画像を読取る画像読取手段１の上部に、前記画像読取手段１に複数枚の原稿を一枚ずつ搬送する原稿搬送手段５０が開閉自在に取り付けられている。
【００２５】
前記画像読取手段１は、上面に原稿を載置して原稿を読取る原稿読取部であるところのガラス等を用いた透明な原稿台１ａ、前記原稿台１ａ上に載置された原稿を照射する光源２及び前記光源２により照明された原稿からの反射光を所定の方向に導光する第１ミラー３を有する光学ユニット３０、第１のミラーからの光を反転させる各ミラー４ａ及び４ｂを有する第２ミラー台、前記第２ミラー台４により反転された光を集光する集光レンズ５、前記集光レンズ５により集光された光を受光してその強度に応じた電気信号に変換する素子を複数連続配列した光電変換部であるところの光電変換素子（ＣＣＤ）６、前記光電変換素子（ＣＣＤ）６により読込まれた画像データが転送されるコントローラユニット７、を備えている。
【００２６】
また、同図において、原稿搬送手段５０は、原稿を積載する原稿載置トレイ５０ａ、前記原稿載置トレイ５０ａに積載された原稿を送り出すピックアップローラ５１、前記ピックアップローラ５１により送り出された原稿を一枚ずつ分離するフィードローラ５２ｂを有する分離搬送部５２、前記分離搬送部５２により分離搬送された原稿を搬送する搬送路６１及び搬送ローラ対５３、前記画像読取手段により画像読込を終えた原稿を排出する排出ローラ対５４、前記排出ローラ対５４から排出される原稿を載置する排出トレイ５０ｂ、を備える。また、前記搬送ローラ対５３側から搬送された原稿を前記画像読取手段１の前記原稿読取部１ａ上を移動させながら画像読取を行う（流し読み）場合には、原稿読取位置Ｒにて原稿の画像読込を行う。
【００２７】
このような画像読取装置は、まず、原稿載置トレイ５０ａに積載された複数の原稿Ｓがピックアップローラ５１によって給紙される。給紙された原稿Ｓは分離搬送部５２によって１枚ずつに分離された後、搬送ローラ対５３によって前記原稿読取部１ａ上の原稿読取位置Ｒに搬送される。そして、原稿の先端が前記原稿読取位置Ｒに到達するタイミングで前記画像読取手段１の前期ＣＣＤ６が原稿の画像データの読取りを開始する。ここで、前記原稿読取位置Ｒ上に搬送される原稿の画像読取は、原稿の画像データを原稿搬送方向と直交する主走査方向に前記ＣＣＤ６がラインデータとして読込むとともに、原稿の搬送方向である副走査方向に原稿を一定速度で搬送させて、前記原稿読取位置Ｒにおいて、画像データの主走査方向のラインデータを副走査方向に順次読取りながら画像読取を行う流し読みにより行われる。そして読取られた画像データは、順次コントローラユニット７へ転送され、前記コントラーラユニット７で画像データが一時保存され、その後、図示しない画像形成装置等により画像が形成される。
【００２８】
図２は本発明の第１の実施の形態に係る画像読取装置の概略構成を示す斜視図である。
【００２９】
本発明の第１の実施の形態に係る画像読取装置は、前記画像読取手段１の上面にヒンジ挿入穴１３及び１４が適宜所定間隔をもって穿設されおり、このヒンジ挿入穴１３及び１４に対応して前記原稿搬送手段５０に取付けられた図示しない回動ヒンジの下端が前記ヒンジ挿入穴１３及び１４に挿入されて、原稿搬送手段５０が画像読取手段１に対して開閉自在に取り付けられる。
【００３０】
前記画像読取手段１の上面には、前記ヒンジ挿入穴１３又は１４のいずれか一方に対して原稿台１ａの対辺に位置決め手段の一方を構成する溝部１１が穿設されている。
【００３１】
また、前記原稿搬送手段５０は、位置決め手段の他方を構成し前記溝部１１に嵌合する突部であるところの位置決めピン１０を有する。前記位置決めピン１０は、前記位置決めピン１０を上下方向に伸縮自在にガイドする位置決めピンガイド１２により上下方向の移動がガイドされる。前記位置決めピンガイド１２は、前記原稿搬送手段５０の前記溝部１１に対応した位置に設けられている。また、前記位置決めピン１０はピンガイド１２内に配置される図示しないバネ等の付勢手段により下方に付勢される。
【００３２】
前記ヒンジ挿入穴１３と前記溝部１１とを結ぶ線は、前記画像読取手段１の主走査方向と平行になるように配置されている。また、前記位置決めピン１０と前記ヒンジ挿入穴１３に挿入される図示しない回動ヒンジの取付け位置とを結ぶ線は、前記原稿搬送手段５０の原稿搬送方向と直交するように配置されている。
【００３３】
このように構成された画像形成装置は、前記原稿搬送手段５０が前記図示しない回動ヒンジを支点として画像読取手段１に対して開閉可能とされるが、前記原稿搬送手段５０を前記画像読取手段１に対して閉じた場合には、前記位置決めピン１０が前記溝部１１に嵌合し、前記画像読取手段１の主走査方向と前記原稿搬送手段５０の前記原稿読取位置Ｒにおける原稿の搬送方向である副走査方向とが直交するように位置決めされることになる。
【００３４】
また、前記位置決めピン１０は、図示しない付勢手段により下方に付勢されているので、通常は前記原稿搬送手段５０の下面から突起している。しかし、前記溝部１１が原稿により覆われている場合には、前記位置決めピン１０は上方へスライドして退避することが可能である。
【００３５】
この為、不用意に前記原稿搬送手段５０を前記画像読取手段１に閉じた場合でも、原稿を傷つけるおそれがない。
【００３６】
〔第２の実施の形態〕
図３及び図４は本発明の第２の実施の形態に係る画像読取装置の概略構成を示す斜視図である。
【００３７】
本実施の形態では、位置決めピン１０の溝部１１に嵌合する側とは反対側の端部に位置検出手段の一方を構成する遮光部２０が、突出形成されている。また、位置決めピン１０をガイドする位置決めピンガイド１２には、前記遮光部２０が上下方向に移動できるように筒体の一部に縦方向にスリットが設けられている。
【００３８】
前記遮光部２０の先端に対応する位置には位置検出手段の他方を構成するフォトインタラプタ型の光センサ２１が、配置される。前記遮光部２０によって前記光センサ２１の検出光が遮光されることで前記位置決めピン１０の前記ピンガイド１２内での位置が検出できる。
【００３９】
図４は前記位置決めピン１０が、前記ピンガイド１２の下方から突出した状態を示した図である。この状態で、前記位置決めピン１０が前記原稿搬送手段５０の前記溝部１１に挿入嵌合して位置決めがされる。本実施の形態では、前記位置決めピン１０が前記溝部１１に挿入嵌合されると前記遮光部２０が前記光センサ２１の検出光を遮光するように構成される。
【００４０】
従って、前記遮光部２０及び前記光センサ２１により構成される位置検出手段によって、前記位置決めピン１０が前記溝部１１に挿入嵌合しているか否かを検出して、前記原稿搬送手段５０の位置決めを終了したか否かを判断することができる。
【００４１】
更に、前期位置検出手段からの検出信号に基づいて、位置決めが終了していないと判断された場合には、前記原稿搬送手段５０の原稿の読み込み動作を停止させることが可能である。また、位置決めが完了していない場合には、例えば表示パネル等に表示してユーザーに原稿台の状態について注意を促すことが可能とである。
【００４２】
〔第３の実施の形態〕
図５は本発明の第３の実施の形態に係る画像読取装置の主要部の構成を示す断面図である。
【００４３】
図５では、前記光学ユニット３０は、画像読取手段１の原稿流し読み時の原稿読取位置Ｒに対向する位置に静止している。位置決めピン１０は駆動手段１５によって上下方向に移動可能とされる。また、前記位置決めピン１０は前記原稿搬送手段５０の前記画像読取手段１との対向面に設けられたピンガイド１２により上下方向の移動がガイドされている。
【００４４】
前記画像読取手段１上面の前記位置決めピン１０に対応した位置に貫通孔１１が、穿設される。また、前記貫通孔１１の周囲には孔ガイド１１ａが設けられている。
【００４５】
また、前記光学ユニット３０の上部には、前記貫通孔１１を貫通した前記位置決めピン１０が当接する当接部３０ａが、形成されている。
【００４６】
本実施の形態における位置決め手段は、前記位置決めピン１０と前記貫通孔１１が嵌合する場合には、前記位置決めピン１０及び前記貫通孔１１により構成されることになるが、前記貫通孔１１の内径が前記位置決めピン１０の外径よりも大きい場合には、光学ユニット３０の上部に形成された当接部３０ａと前記位置決めピン１０とにより構成されることになる。
【００４７】
本実施の形態において、前記原稿搬送手段５０から搬送される原稿を流し読みする時には、前記光学ユニット３０が図中左端側に一旦移動させられる。一方、前記位置決めピン１０は駆動手段１５によって下方に移動され前記貫通孔１１を貫通して先端が前記画像読取手段１内に進入する。その後、前記光学ユニット３０の前記当接部３０ａが前記位置決めピン１０の先端に当接するまで、前記光学ユニット３０が、図中前記位置決めピン１０の左側から右側に移動させられる。そして、前記光学ユニット３０の前記当接部３０ａが前記位置決めピン１０の先端に当接する位置が原稿読取位置Ｒに対向する位置となる。そして、前記光学ユニット３０が原稿読取位置Ｒに対向する位置に停止されると、その後、前記原稿搬送手段５０から搬送される原稿の読み取りを開始する。
【００４８】
従って、本実施の形態によれば、光学ユニット３０に対して直接前記原稿搬送手段５０の位置決めを行うので原稿読み取りの位置精度を更に向上させることができる。
【００４９】
一方、画像読取手段１の原稿台１ａ上に原稿を載置した状態で原稿の画像を読み取る原稿固定読み時には、前記位置決めピン１０は前記原稿搬送手段５０側に完全に退避収納されるか、前記光学ユニット３０の移動を妨げない範囲で前記位置決めピン１０の先端を前記貫通孔１１に嵌合させた状態で、前記光学ユニット３０が原稿台１ａの下面を原稿面に沿って副走査方向に移動しながら原稿台上の原稿の画像を読み取る。
【００５０】
〔第４の実施の形態〕
図６は本発明の第４の実施の形態に係る画像読取装置の主要部の構成を示す断面図である。
【００５１】
第４の実施の形態に係る画像読取装置では、位置決めピン１０の先端外周に前記光学ユニット３０と係合する係合部であるところの切り欠き部１０ａが、設けられている。また、前記光学ユニット３０には、水平方向に突出する突出部３０ｂが、設けられている。そして、前記切り欠き部１０ａが前記突出部３０ｂに係合して、前記位置決めピン１０の上下方向の移動が規制される。
【００５２】
本実施の形態に係る画像読取装置では、前記原稿搬送手段５０から搬送される原稿を流し読みする時には、前記光学ユニット３０は、図中、前記位置決めピン１０の左側から右側に移動させられる。そして、前記突出部３０ｂが前記切り欠き部１０ａに係合すると、前記光学ユニット３０が前記原稿搬送手段５０から搬送される原稿の読み取りを開始する。
【００５３】
この状態では、前記位置決めピン１０の上下方向の移動が規制されているので、前記原稿搬送手段５０を前記画像読取手段１に係止して、前記画像読取手段１が原稿を読み取っている間にユーザーが前記原稿搬送手段５０を開くことが防止される。
【００５４】
尚、本実施の形態及び前記第３の実施の形態においても前記遮光部２０及び光センサ２１により構成される嵌合状態検出手段を併用して、原稿台の状態を検知し搬送及び画像読取の制御を行ってもよい。
【００５５】
前述した実施の形態をまとめると下記の通りである。
【００５６】
（１）原稿読取部１ａ、前記原稿読取部１ａ上の原稿を照明する光学ユニット３０及び、前記原稿読取部１ａ上の原稿からの反射光を受光して原稿の画像データを読取り電気信号を出力する光電変換部６、を有する画像読取手段１と、前記画像読取手段１の上方に配置され、複数枚の原稿を一枚ずつ前記画像読取手段１の前記原稿読取部上１ａに搬送す
る原稿搬送手段５０と、を備え前記光電変換部６が原稿の画像データを主走査方向にラインデータとして読取るとともに、前記主走査方向の画像データのラインデータを副走査方向に順次読取って原稿の画像読取を行う画像読取装置において、前記原稿読取部上１ａにおける原稿搬送方向と前記光電変換部６の主走査方向とが直交するように位置決めを行う位置決め手段を備える。
【００５７】
従って、画像読取手段１のラインデータ読込み方向である主走査方向と、前記原稿搬送手段５０の原稿の搬送方向である副走査方向とが前記位置決め手段により直交するように位置決めされるので、画像歪みを抑えることが可能となる。
【００５８】
（２）また、前記位置決め手段が、突部１０と、前記突部に嵌合する溝部１１と、を有する。
【００５９】
従って、前記原稿搬送手段５０又は前記画像読取手段１の一方に形成された突部１０を他方に形成された溝部１１に嵌合させることで、出容易に各手段間の位置精度を確保でき、画像歪みを容易に抑えることが可能となる。
【００６０】
（３）また、前記光学ユニット３０を前記原稿読取部１ａに対向する所定の位置に固定して、前記原稿搬送手段５０によって前記原稿読取部上１ａを移動させられる原稿の画像データを前記光電変換部６が読取って原稿の画像読取を行う画像形成装置において、前記位置決め手段が前記原稿搬送手段５０から突設される突部１０と、前記画像読取手段に形成される貫通孔１１ａと、を有し、前記貫通孔１１ａを貫通した前記突部１０が前記光学ユニット３０に当接して、前記原稿読取部１ａ上における原稿搬送方向と前記光電変換部６の主走査方向とが直交するように位置決めを行う。
【００６１】
従って、前記突部１０と該突部１０が当接する前記光学ユニット３０とで前記位置決め手段を構成するので、前記光学ユニット３０に対して、原稿画像の読取り位置への位置決めを直接的に行うことが出来、更に画像歪みを抑えることが可能となる。
【００６２】
（４）また、前記突部１０が前記光学ユニット３０と係合する係合部１０ａを有し、前記貫通孔１１を貫通した前記突部１０が前記光学ユニット３０（３０ｂ）に係合して、前記原稿読取部上１ａにおける原稿搬送方向と前記光電変換手段６の主走査方向とが直交するように位置決めを行うとともに、前記原稿搬送手段５０を前記原稿読取手段１に係止する。
【００６３】
従って、画像読取手段１が原稿の画像を読取っている間は、前記突部１０が前記光学ユニット３０に係合して、前記原稿搬送手段５０が前記画像読取手段１に固定されているので、ユーザーが不測に原稿搬送手段５０を開くことが防止される。また、画像読取装置に多少の振動や衝撃が加わっても前記光学ユニット３０を確実に原稿画像の読取り位置に位置決めすることができ、画像歪みを抑えることが可能となる。
【００６４】
（５）また、前記突部１０が上下方向に移動可能である。
【００６５】
従って、溝部１１上に原稿が存在する場合には、前記突部１０が退避できるので、前記突部１０が溝部１１上の原稿を押さえつけて穴を開けたり、傷つけたりすることが防止される。
【００６６】
（６）また、前記位置決め手段が前記突部１０を上下方向に移動させる駆動手段１５を有し、前記原稿搬送手段５０が前記原稿読取部上１ａに原稿を搬送して原稿の画像読取を行う場合に、前記駆動手段１５を駆動して、前記位置決め手段が位置決めを行う。
【００６７】
従って、原稿の画像読取を行わない場合には、前記突部１０を前記原稿搬送手段５０から突出しないように退避できるので、原稿読取部１ａ上からずれて前記溝部１１上に載置された原稿を前記突部１０が押さえつけて穴を開けたり、傷つけたりすることが防止できる。また、原稿の画像読取を行う場合には、前記駆動手段１５が前記突部１０を突出させて、前記突部１０を溝部１１に嵌合させるので前記原稿搬送手段５０を前記画像読取手段１に対して所定位置に位置決めして、画像歪みを抑えることが可能となる。特に、前記突部１０が前記光学ユニット３０に対して、直接位置決めを行うものにあっては、前記原稿搬送手段５０を前記画像読取手段１上に載置した状態で、前記駆動手段１５が前記突部１０を伸張させて前記突部１０を前記光学ユニット３０に当接させ所定の位置決めを行う。また、原稿台１ａ上の原稿に対して前記光学ユニット３０を移動させて画像を読込む原稿固定読み時には、前記駆動手段１５が前記突部１０を前記光学ユニット３０の移動を許容できる程度に退避させることにより、前記光学ユニット３０の移動を許容させることが出来る。
【００６８】
（７）前記位置決め手段が、前記突部１０の上下方向の位置を検出して前記位置決め手段による位置決めを完了したか否かを判断する位置検出手段２０、２１を有する。
【００６９】
従って、前記位置検出手段２０，２１により原稿読取り時の所定の位置決めが完了しているか否かの判断を行うことが可能となる。従って、位置決めが完了していない状態では、画像読取手段１による原稿画像の読取りを停止させる等の制御を行うことが可能となる。
【００７０】
（８）前記原稿搬送手段５０が前記画像読取手段１に対して開閉自在に取付けられる。
【００７１】
従って、前記画像読取手段上１に原稿を載置して原稿を固定読みする場合には、容易に前記原稿搬送手段５０を前記画像読取手段１の原稿台面から開くことが出来る。
【図面の簡単な説明】
【００７２】
【図１】図１は本発明の第１の実施の形態に係る画像読取装置の概略構成を示す断面図である。
【図２】図２は本発明の第１の実施の形態に係る画像読取装置の概略構成を示す斜視図である。
【図３】図３は本発明の第２の実施の形態に係る画像読取装置の概略構成を示す斜視図である。
【図４】図４は本発明の第２の実施の形態に係る画像読取装置の概略構成を示す斜視図である。
【図５】図５は本発明の第３の実施の形態に係る画像読取装置の主要部の構成を示す断面図である。
【図６】図６は本発明の第４の実施の形態に係る画像読取装置の主要部の構成を示す断面図である。
【図７】図７は従来の画像読取装置の概略断面図である。
【図８】図８は従来の画像読取装置の動作図である。
【図９】図９は従来の画像読取装置の問題点を説明する図である。
【符号の説明】
【００７３】
１  …画像読取手段
１ａ  …原稿読取部（原稿台）
６  …光電変換部（ＣＣＤ）
１０  …位置決め手段（突部）
１１  …位置決め手段（溝部）
１３、１４  …ヒンジ挿入穴
３０  …光学ユニット
５０  …原稿搬送手段
Ｒ  …原稿読取位置
【図１】
2005101942.tif 000003
【図２】
2005101942.tif 000004
【図３】
2005101942.tif 000005
【図４】
2005101942.tif 000006
【図５】
2005101942.tif 000007
【図６】
2005101942.tif 000008
【図７】
2005101942.tif 000009
【図８】
2005101942.tif 000010
【図９】
2005101942.tif 000011